【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
発光部と、
画像データに応じた透過率で前記発光部からの光を透過することにより、画面に画像を表示する表示パネルと、
前記画面に対するユーザの視線方向を検出する検出手段と、
前記発光部の発光色と発光輝度を制御する制御手段と、
を有し、
前記表示パネルは、ユーザの視線方向の変化によって、ユーザに知覚される輝度である知覚輝度と、ユーザに知覚される色である知覚色と、が変化する特性を有しており、
前記制御手段は、前記検出手段で検出された視線方向である検出方向に基づいて、前記発光部の発光色と発光輝度を制御する
ことを特徴とする表示装置。
【請求項２】
画面の領域を構成する複数の分割領域に対応する複数の発光部と、
前記発光部から周囲の分割領域への光の拡散を表す拡散情報を記憶する第１記憶手段と、
を有し、
前記制御手段は、前記視線方向の変化による知覚輝度と知覚色の変化が抑制され、且つ、前記発光部から周囲の分割領域への光の漏れによる知覚輝度の変化が抑制されるように、前記検出方向と前記拡散情報とに基づいて、各発光部の発光輝度と発光色を制御する
ことを特徴とする請求項１に記載の表示装置。
【請求項３】
各発光部は、発光色が互いに異なる複数の光源を有し、
前記制御手段は、
前記検出方向に基づいて、前記視線方向の変化による知覚輝度の変化が抑制されるように、各光源の発光輝度を仮決定する仮決定処理と、
前記拡散情報に基づいて、前記発光部から周囲の分割領域への光の漏れによる知覚輝度の変化が抑制されるように、各光源の仮決定された発光輝度を補正する第１補正処理と、
前記検出方向に基づいて、前記視線方向の変化による知覚色の変化が抑制されるように、各光源の前記第１補正処理後の発光輝度を補正する第２補正処理と、
を行う
ことを特徴とする請求項２に記載の表示装置。
【請求項４】
前記仮決定処理では、前記検出方向から第１所定画像を見たときの知覚輝度が、基準輝度で各光源を発光させた状態で正面方向から前記第１所定画像を見たときの知覚輝度に近づくように、各光源の発光輝度が仮決定される
ことを特徴とする請求項３に記載の表示装置。
【請求項５】
前記仮決定処理では、前記検出方向に基づく第１比率を基準輝度に乗算した値が、各光源の発光輝度として仮決定され、
前記基準輝度で各光源を発光させた状態に関して、前記正面方向から前記第１所定画像を見たときの知覚輝度をＢ１、前記検出方向から前記第１所定画像を見たときの知覚輝度をＢ２、とした場合に、
前記第１比率は、Ｂ１÷Ｂ２である
ことを特徴とする請求項４に記載の表示装置。
【請求項６】
前記第２補正処理では、前記光源毎に、その光源の発光色について、前記検出方向から前記第１所定画像を見たときの知覚輝度が、基準輝度で各光源を発光させた状態で前記正面方向から前記第１所定画像を見たときの知覚輝度に近づくように、当該光源の前記第１補正処理後の発光輝度が補正される
ことを特徴とする請求項４または５に記載の表示装置。
【請求項７】
前記第２補正処理では、前記光源毎に、前記検出方向に基づく第２比率を前記第１補正処理後の発光輝度に乗算することにより、前記第１補正処理後の発光輝度が補正され、
前記基準輝度で各光源を発光させた状態に関して、前記正面方向から前記第１所定画像を見たときの知覚輝度をＢ１、前記検出方向から前記第１所定画像を見たときの知覚輝度をＢ２、とし、
前記第２補正処理の対象の光源である対象光源の発光色を有する光を発する各光源を前記基準輝度で発光させた状態に関して、前記正面方向から前記第１所定画像を見たときの知覚輝度をＢ３、前記検出方向から前記第１所定画像を見たときの知覚輝度をＢ４、とした場合に、
前記対象光源の前記第１補正処理後の発光輝度に乗算する第２比率は、（Ｂ３÷Ｂ１）÷（Ｂ４÷Ｂ２）である
ことを特徴とする請求項６に記載の表示装置。
【請求項８】
前記第１所定画像は、画像データの取り得る値の最小値または最大値の画像である
ことを特徴とする請求項４〜７のいずれか１項に記載の表示装置。
【請求項９】
前記検出手段は、前記分割領域毎に、その分割領域に対するユーザの視線方向を検出し、
前記制御手段は、前記分割領域毎に、その分割領域に対して検出された視線方向を用いて、前記仮決定処理、前記第１補正処理、及び、前記第２補正処理を行う
ことを特徴とする請求項４〜８のいずれか１項に記載の表示装置。
【請求項１０】
前記第１補正処理では、前記拡散情報と前記検出方向とに基づいて、前記光の漏れによる知覚輝度の変化、及び、前記光の漏れと前記視線方向の変化との両方に起因した知覚色の変化、が抑制されるように、各光源の前記仮決定された発光輝度が補正される
ことを特徴とする請求項４〜９のいずれか１項に記載の表示装置。
【請求項１１】
前記第１補正処理では、
前記光源と前記分割領域の組み合わせ毎に、その組み合わせの光源から発せられた光の当該組み合わせの分割領域での明るさに、前記検出方向に基づく第３比率を乗算した補正明るさであり、且つ、当該組み合わせの光源を前記仮決定された発光輝度で発光させたときの補正明るさである、第１補正明るさを算出する第１処理と、
前記分割領域毎に、各光源のその分割領域での前記補正明るさの合計値であり、且つ、前記補正明るさとして前記第１補正明るさを用いて得られる合計値である、第１合計値を算出する第２処理と、
前記第１合計値と、前記組み合わせの光源を基準輝度で発光させたときの前記補正明るさである第２補正明るさを用いて得られる前記合計値である第２合計値と、の比率が、前記基準輝度で各光源を発光させた状態で前記正面方向から前記第１所定画像を見たときの知覚輝度である第１輝度と、前記基準輝度で各光源を発光させた状態で前記検出方向から前記第１所定画像を見たときの知覚輝度である第２輝度と、の比率に近づくように、各光源の前記仮決定された発光輝度を補正する第３処理と、
が繰り返され、
前記組み合わせの光源の発光色を有する光を発する各光源を基準輝度で発光させた状態で前記検出方向から第２所定画像を見たときの知覚輝度をＢ５、前記基準輝度で各光源を発光させた状態で前記検出方向から前記第２所定画像を見たときの知覚輝度をＢ６、とした場合に、
前記第３比率は、Ｂ５÷Ｂ６である
ことを特徴とする請求項１０に記載の表示装置。
【請求項１２】
前記第２所定画像は、画像データの取り得る値の最大値の画像である
ことを特徴とする請求項１１に記載の表示装置。
【請求項１３】
前記第１所定画像は、画像データの取り得る値の最小値の画像であり、
前記第１合計値をＴ１、前記第２合計値をＴ２、前記第１輝度をＢ１、前記第２輝度をＢ２とした場合に、
前記第３処理では、前記分割領域毎に（Ｂ１÷Ｂ２）÷（Ｔ１÷Ｔ２）の値Ｊが閾値以上か否かが判定され、値Ｊが閾値より小さいと判定された分割領域に対応する各光源の前記仮決定された発光輝度に値Ｊが乗算され、
前記第１補正処理では、各分割領域の値Ｊが前記閾値以上になるまで、前記第１処理、前記第２処理、及び、前記第３処理が繰り返される
ことを特徴とする請求項１１または１２に記載の表示装置。
【請求項１４】
前記第１所定画像は、画像データの取り得る値の最大値の画像であり、
前記第１合計値をＴ１、前記第２合計値をＴ２、前記第１輝度をＢ１、前記第２輝度をＢ２とした場合に、
前記第３処理では、前記分割領域毎に（Ｂ１÷Ｂ２）÷（Ｔ１÷Ｔ２）の値Ｊが閾値以下か否かが判定され、値Ｊが閾値より大きいと判定された分割領域に対応する各光源の前記仮決定された発光輝度に値Ｊが乗算され、
前記第１補正処理では、各分割領域の値Ｊが前記閾値以下になるまで、前記第１処理、前記第２処理、及び、前記第３処理が繰り返される
ことを特徴とする請求項１１または１２に記載の表示装置。
【請求項１５】
前記分割領域毎に、入力画像データに基づいて、その分割領域が、暗部画像が表示される暗部領域であるか、明部画像が表示される明部領域であるか、を判定する判定手段、を有し、
前記制御手段は、前記分割領域毎に、その分割領域が前記暗部領域であると判定された場合には、前記第１所定画像として第３所定画像を用いて、前記仮決定処理、前記第１補正処理、及び、前記第２補正処理を行い、当該分割領域が前記明部領域であると判定され
た場合には、前記第１所定画像として第４所定画像を用いて、前記仮決定処理、前記第１補正処理、及び、前記第２補正処理を行う
ことを特徴とする請求項４〜１２のいずれか１項に記載の表示装置。
【請求項１６】
前記第３所定画像は、画像データの取り得る値の最小値の画像であり、
前記第４所定画像は、画像データの取り得る値の最大値の画像である
ことを特徴とする請求項１５に記載の表示装置。
【請求項１７】
前記検出方向と、前記制御手段で決定された各光源の発光輝度と、に基づいて、入力画像データから表示用画像データを生成し、前記表示用画像データを前記表示パネルに出力する生成手段をさらに有し、
前記生成手段は、前記視線方向の変化による知覚輝度と知覚色の変化がさらに抑制されるように前記入力画像データを補正することにより、前記表示用画像データを生成する
ことを特徴とする請求項３〜１６のいずれか１項に記載の表示装置。
【請求項１８】
前記視線方向毎に、画像データの値と、基準輝度で各光源を発光させた状態での知覚輝度及び知覚色と、の対応関係を表す特性情報を記憶する第２記憶手段をさらに有し、
前記特性情報から、前記検出方向に対応する前記対応関係が判断される
ことを特徴とする請求項１〜１７のいずれか１項に記載の表示装置。
【請求項１９】
前記検出手段は、センサを用いてユーザの位置を検出し、検出されたユーザの位置から前記画面へ向かう方向を前記検出方向として算出する
ことを特徴とする請求項１〜１８のいずれか１項に記載の表示装置。
【請求項２０】
それぞれ個別に発光量を制御可能な複数の光源を備える発光手段と、
前記発光手段から照射された光を透過して画面に画像を表示する表示手段と、
前記画面に対するユーザの位置を検出する検出手段と、
各光源の発光量を制御する制御手段と、
を備え、
前記制御手段は、前記検出手段が検出した前記ユーザの位置が第１位置である場合、前記複数の光源のうち少なくとも１つの光源の発光量が、前記検出手段が検出した前記ユーザの位置が前記第１位置と異なる第２位置である場合における当該光源の発光量と異なるように、各光源の発光量を制御する
ことを特徴とする表示装置。
【請求項２１】
前記制御手段は、前記検出手段が検出した前記ユーザの位置が前記第１位置である場合、各光源の発光量が、前記検出手段が検出した前記ユーザの位置が前記第２位置である場合における各光源の発光量と異なるように、各光源の発光量を制御する
ことを特徴とする請求項２０に記載の表示装置。
【請求項２２】
発光部と、
画像データに応じた透過率で前記発光部からの光を透過することにより、画面に画像を表示する表示パネルと、
を有する表示装置の制御方法であって、
前記画面に対するユーザの視線方向を検出する検出ステップと、
前記発光部の発光色と発光輝度を制御する制御ステップと、
を有し、
前記表示パネルは、ユーザの視線方向の変化によって、ユーザに知覚される輝度である知覚輝度と、ユーザに知覚される色である知覚色と、が変化する特性を有しており、
前記制御ステップでは、前記検出ステップで検出された視線方向である検出方向に基づ
いて、前記発光部の発光色と発光輝度を制御する
ことを特徴とする表示装置の制御方法。
【請求項２３】
それぞれ個別に発光量を制御可能な複数の光源を備える発光手段と、
前記発光手段から照射された光を透過して画面に画像を表示する表示手段と、
を備える表示装置の制御方法であって、
前記画面に対するユーザの位置を検出する検出ステップと、
各光源の発光量を制御する制御ステップと、
を有し、
前記制御ステップでは、前記検出ステップで検出した前記ユーザの位置が第１位置である場合、前記複数の光源のうち少なくとも１つの光源の発光量が、前記検出ステップで検出した前記ユーザの位置が前記第１位置と異なる第２位置である場合における当該光源の発光量と異なるように、各光源の発光量を制御する
ことを特徴とする表示装置の制御方法。
【請求項２４】
請求項２２または２３に記載の表示装置の制御方法の各ステップをコンピュータに実行させるためのプログラム。
【手続補正２】
【補正対象書類名】明細書
【補正対象項目名】００１６
【補正方法】変更
【補正の内容】
【００１６】
本発明の第１の態様は、
発光部と、
画像データに応じた透過率で前記発光部からの光を透過することにより、画面に画像を表示する表示パネルと、
前記画面に対するユーザの視線方向を検出する検出手段と、
前記発光部の発光色と発光輝度を制御する制御手段と、
を有し、
前記表示パネルは、ユーザの視線方向の変化によって、ユーザに知覚される輝度である知覚輝度と、ユーザに知覚される色である知覚色と、が変化する特性を有しており、
前記制御手段は、前記検出手段で検出された視線方向である検出方向に基づいて、前記発光部の発光色と発光輝度を制御する
ことを特徴とする表示装置である。
本発明の第２の態様は、
それぞれ個別に発光量を制御可能な複数の光源を備える発光手段と、
前記発光手段から照射された光を透過して画面に画像を表示する表示手段と、
前記画面に対するユーザの位置を検出する検出手段と、
各光源の発光量を制御する制御手段と、
を備え、
前記制御手段は、前記検出手段が検出した前記ユーザの位置が第１位置である場合、前記複数の光源のうち少なくとも１つの光源の発光量が、前記検出手段が検出した前記ユーザの位置が前記第１位置と異なる第２位置である場合における当該光源の発光量と異なるように、各光源の発光量を制御する
ことを特徴とする表示装置である。
【手続補正３】
【補正対象書類名】明細書
【補正対象項目名】００１７
【補正方法】変更
【補正の内容】
【００１７】
本発明の第３の態様は、
発光部と、
画像データに応じた透過率で前記発光部からの光を透過することにより、画面に画像を表示する表示パネルと、
を有する表示装置の制御方法であって、
前記画面に対するユーザの視線方向を検出する検出ステップと、
前記発光部の発光色と発光輝度を制御する制御ステップと、
を有し、
前記表示パネルは、ユーザの視線方向の変化によって、ユーザに知覚される輝度である知覚輝度と、ユーザに知覚される色である知覚色と、が変化する特性を有しており、
前記制御ステップでは、前記検出ステップで検出された視線方向である検出方向に基づいて、前記発光部の発光色と発光輝度を制御する
ことを特徴とする表示装置の制御方法である。
本発明の第４の態様は、
それぞれ個別に発光量を制御可能な複数の光源を備える発光手段と、
前記発光手段から照射された光を透過して画面に画像を表示する表示手段と、
を備える表示装置の制御方法であって、
前記画面に対するユーザの位置を検出する検出ステップと、
各光源の発光量を制御する制御ステップと、
を有し、
前記制御ステップでは、前記検出ステップで検出した前記ユーザの位置が第１位置である場合、前記複数の光源のうち少なくとも１つの光源の発光量が、前記検出ステップで検出した前記ユーザの位置が前記第１位置と異なる第２位置である場合における当該光源の発光量と異なるように、各光源の発光量を制御する
ことを特徴とする表示装置の制御方法である。
【手続補正４】
【補正対象書類名】明細書
【補正対象項目名】００１８
【補正方法】変更
【補正の内容】
【００１８】
本発明の第５の態様は、上述した表示装置の制御方法の各ステップをコンピュータに実行させるためのプログラムである。